(57)【要約】  吊り小環（４）を有するフィン放熱器（３）の下に熱伝導するように取り付けられるマグネトロン（２）を有するＬＥＲ半透明導波管プラズマ光源照明器具（１）。前記マグネトロンはマイクロ波遷移器（５）と半透明の加工品（６）に取り付けられる。無孔の覆い（８）が前記放熱器から下方へ広がり、押縁（１０）によって前記覆いに保持される透明な仕切（９）によって塞がれる。前記押縁は前記半透明のルツボへ後方に伸びる、磨き上げられた金属薄板の反射器（１１）を支持し、前記ルツボから前記照明器具の外へ前記仕切を通る光の反射のために、前記反射器の各反射面は前記ルツボと前記仕切の両方に斜めに面する。前記押縁（１０）は一般に正方形で、前記反射器は４つの三角形の面（１２）を、ピラミッド配列で備え、正方形のベースが前記押縁（１０）の上の前記仕切（９）の上に支持される枠（１４）によって具体化される。前記各面は仮想の頂点（１５）に、前記半透明のルツボの中心軸（１６）上で収束する。この軸は、前記頂点から前記ベースの中心への、前記ピラミッドの通常軸（１７）に一致する。前記各面（１２）は前記ベースに対して４５度をなす。前記頂点は前記ルツボとその裏当て片（１８）が前記反射器の開口部（１９）を通り抜けて突出するその内部の仮想点であり、前記開口部がないとすれれば、当該仮想点上に前記頂点が存在する。【選択図】図２
2015513204.tif 000002
【特許請求の範囲】
【請求項１】
半透明導波管プラズマ光源照明器具であって、
・光放射口と、
・半透明導波管プラズマ光源と、
・半透明導波管プラズマ光源の加工品と照明器具からの前記光放射口の両方に斜めに面する各反射面からなる反射器と、を備え、
前記各反射面はピラミッド式に配置され、前記加工品の密閉されたボイド空間は、前記ピラミッドの中心軸に少なくとも実質的に並べられるか、或いは遮断する
ことを特徴とする半透明導波管プラズマ光源照明器具。
【請求項２】
前記密閉されたボイド空間は、前記ピラミッドの頂点から底面への距離の１０％から４０％の間に位置することを特徴とする、請求項１に記載の半透明導波管プラズマ光源照明器具。
【請求項３】
前記密閉されたボイド空間は、前記ピラミッドの前記頂点から前記底面への距離の１５％から３０％の間に位置することを特徴とする、請求項２に記載の半透明導波管プラズマ光源照明器具。
【請求項４】
前記密閉されたボイド空間は、前記ピラミッドの前記頂点から前記底面への距離の２０％に位置することを特徴とする、請求項３に記載の半透明導波管プラズマ光源照明器具。
【請求項５】
前記各反射面が平面であることを特徴とする、請求項１〜請求項４のいずれかに記載の半透明導波管プラズマ光源照明器具。
【請求項６】
前記各反射面が湾曲していることを特徴とする、請求項１〜請求項４のいずれかに記載の半透明導波管プラズマ光源照明器具。
【請求項７】
前記各反射面が前記軸に対してより大きな角度で外に広がり、前記頂点からさらに離れていくことを特徴とする、請求項６に記載の半透明導波管プラズマ光源照明器具。
【請求項８】
前記各反射面が前記中心軸に対して４０度と５０度の間で配置されることを特徴とする、請求項４に記載の半透明導波管プラズマ光源照明器具。
【請求項９】
前記各反射面が前記中心軸に対して４５度で配置されることを特徴とする、請求項８に記載の半透明導波管プラズマ光源照明器具。
【請求項１０】
前記ピラミッドが正方形の底面を有することを特徴とする、請求項１〜請求項９のいずれかに記載の半透明導波管プラズマ光源照明器具。
【請求項１１】
前記ピラミッドが長方形の底面を有することを特徴とする、請求項１〜請求項９のいずれかに記載の半透明導波管プラズマ光源照明器具。
【請求項１２】
前記ピラミッドが３つか或いは５つ以上の反射面を有し、前記ピラミッドの底面が対応する数の辺を有することを特徴とする、請求項１〜請求項９のいずれかに記載の半透明導波管プラズマ光源照明器具。
【請求項１３】
前記半透明導波管プラズマ光源が、前記ピラミッド配列の２つの面の二等分面内に配置されるアンテナを有するＬＥＲ半透明導波管プラズマ光源であることを特徴とする、請求項１〜請求項１２のいずれかに記載の半透明導波管プラズマ光源照明器具。
【請求項１４】
前記半透明導波管プラズマ光源が、フィン放熱器の下に熱伝導するように取り付けられるマグネトロンを有するＬＥＲ半透明導波管プラズマ光源であることを特徴とする、請求項１〜請求項１３のいずれかに記載の半透明導波管プラズマ光源照明器具。
【請求項１５】
透明な仕切によって塞がれる前記放熱器から伸びる覆いを備え、
前記各反射面が前記透明な仕切の上の覆いの中に支持される
ことを特徴とする、請求項１４に記載の半透明導波管プラズマ光源照明器具。
【発明の詳細な説明】
【技術分野】
【０００１】
本発明は光源に関連する。
【背景技術】
【０００２】
我々は半透明導波管電磁波プラズマ光源（LUcent Waveguide electromagnetic wave Plasma Light source）内でのプラズマ励起による光の発生の技術を発展させてきた。我々はこの技術をＬＵＷＰＬ技術と呼ぶ。
【０００３】
我々はＬＵＷＰＬ光源を、
・固体誘電体、半透明材料製の加工品であって、
・電磁波、普通はマイクロ波励起性材料を内包する密閉されたボイド空間
を備える加工品と、
・ファラデー箱であって、
・導波路の範囲を定め、
・光の放射のために、少なくとも部分的に半透明で、そして普通は少なくとも部分的に透明で、
・普通は不透明な封体を有し、
・前記加工品を包み込むファラデー箱と、
・プラズマを励起する電磁波、普通はマイクロ波を導波路に導入するための装置と、
を有し、
既定の周波数の電磁波、普通はマイクロ波の導入時にプラズマが前記ボイド空間内に確立され、光が前記ファラデー箱を経由して放射されるような配列である、
と定義する。
【０００４】
我々のいわゆる「ＬＥＲ」欧州特許出願ＥＰ２１８８８２９号において、
マイクロ波エネルギで駆動される光源であって、前記光源が、
・密閉されたボイド空間を内部に有する本体と、
・前記本体を取り囲む、マイクロ波を閉じ込めるファラデー箱であって、
・前記ファラデー箱内の前記本体が共振導波路であるファラデー箱と、
・前記密閉されたボイド空間において、その内部で発光プラズマを生成するために充填された、マイクロ波のエネルギによって励起可能な材料の充填材と、
・前記充填材にプラズマを誘導するマイクロ波エネルギを伝送するために前記本体の中に配置されたアンテナであって、
・マイクロ波エネルギ源と結合するために前記本体の外側に伸びている接続部
を有するアンテナと、を有し、
・前記本体はそこから出てくる光に対して半透明な材料からなる、固体のプラズマルツボであり、
・前記ファラデー箱は、前記プラズマルツボから出てくる光を少なくとも部分的に透過し、
それらの配列が、前記ボイド空間内部のプラズマからの光が前記プラズマルツボを通過し、前記ファラデー箱を経由して前記プラズマルツボから放射されるようなものであることを特徴とするマイクロ波で駆動される光源を記載し、（許可され）権利化している。
【０００５】
我々のＬＥＲ特許で使用されているように、「半透明」とは半透明と記載されている物、材料が透明または半透明であることを意味し、この意味は本発明についても本明細書においてまた使用される。
【０００６】
「プラズマルツボ」とはプラズマを閉じ込める密封体を意味し、後者は前記ボイド空間の充填材がアンテナからのマイクロ波エネルギによって励起された時は前記ボイド空間内にある。
【０００７】
我々の国際特許出願ＰＣＴ／ＧＢ２０１０／００１５１８号において、
・高周波（ＨＦ）電力によって駆動されるプラズマ光源と、
・物理的構造を有する高周波パワーサプライであって、
・前記光源と前記高周波パワーサプライの物理的構造はアセンブリとして一緒に接続される、高周波パワーサプライと、
・前記高周波パワーサプライ用のハウジングであって、前記アセンブリと前記ハウジングは一緒に固定され、
・そこから前記アセンブリが冷却エアフローのクリアランスと共に広がる開口部と、
・前記高周波パワーサプライを冷却するために、空気を吸い込み（或いは吐き出し）、前記開口部を経由して、前記光源を過ぎて外へ出る（或いは中に入る）ための、前記ハウジングの穴に配置される空冷ファンと、
を有するハウジングと、
・前記ハウジングに固定される前記光源からの光を前記開口部で少なくとも実質的に平行にするための反射器であって、当該反射器はそこから前記アセンブリが広がる当該反射器自身の開口部を有し、前記光源が当該反射器内に配置される反射器と、
を有する照明器具を記載し、権利請求している。
【０００８】
我々がＬＵＷＰＬを定義する以前に、この出願は書かれている。我々はこの照明器具を「我々の第１の照明器具」と呼ぶ。その呼び方はＬＥＲ  ＬＵＷＰＬを含むことを意図されている。
【０００９】
我々の第１の照明器具の前記反射器の断面は円形である。そのＬＥＲアンテナが認知できるほどの影を生み出すことを除いては、前記照明器具は円筒形のパターンの光を投射する。
【先行技術文献】
【特許文献】
【００１０】
【特許文献１】欧州特許公開公報ＥＰ２１８８８２９号
【特許文献２】国際公開公報ＷＯ２０１１０２０９８９号            （国際特許出願ＰＣＴ／ＧＢ２０１０／００１５１８号）
【発明の概要】
【発明が解決しようとする課題】
【００１１】
本発明の目的は、改良された反射器を有するＬＵＷＰＬ光源の照明器具を提供することである。
【課題を解決するための手段】
【００１２】
本発明によれば、
・光放射口と、
・ＬＵＷＰＬ光源と、
・ＬＵＷＰＬ光源の加工品と照明器具から放射される光の両方に斜めに面する各反射面からなる反射器と、を備え、
前記各反射面はピラミッド式に配置され、前記加工品の密閉されたボイド空間は、前記ピラミッドの中心軸に少なくとも実質的に並べられるか、或いは当該中心軸を遮断する
ことを特徴とする半透明導波管プラズマ光源照明器具が提供される。
【００１３】
本明細書において、「ピラミッド」は「多角形の底面と、共有点或いは頂点で交わる三角形の各面と、を有する立体図形」を意味する。普通は三角形の各面が互いに等しく、頂点の逆の各辺によって底面を定義するだろう。
【００１４】
「ピラミッドの中心軸」は前記頂点から前記ベースの中心へ通る軸を意味する
普通は、前記密閉されたボイド空間は、前記頂点から前記底面への距離の１０％から４０％の間に、好適には１５％から３０％の間に位置するであろう。好適な実施例においては、前記ボイド空間は前記距離の約２０％に位置する。
【００１５】
好適な実施例においては、前記三角形の各面に相当する前記各反射面は平面である一方で、それらが湾曲して、そして具体的には、前記軸に対してより大きな角度で外に広がって前記頂点からさらに離れていってもよいと想定される。
【００１６】
好適な実施例において、前記三角形の面は前記軸に対して実質的に４５度で配置される。他の角度、具体的には４０度と５０度の間の角度が、前記照明器具からの投影光を広げるか或いは絞るために使用され得る。
【００１７】
好適な実施例において、前記多角形の底面は正方形であり、当該正方形は、二方向において広い領域を照らすための正方形配列上に配置される照明器具配列にとって非常に都合がよい。領域が単一方向において広い場合、横幅があるとしても、前記多角形の底面は長方形で、使用時にはより長い辺が前記単一方向に伸びていてもよい。
【００１８】
３つか或いは５つ以上の辺を有する多角形の底面は、一風変わった形状の領域を照らす用と考え得る。
【００１９】
ピラミッドのように配置される各反射面の使用は、前記各反射面が平面で円形である場合よりも、前記投影光を前記底面の各辺の方向でより広げることが理解されることだろう。
【００２０】
特に好適な特徴にしたがって、本発明のＬＥＲ  ＬＵＷＰＬ照明器具内のアンテナは、少なくとも実質的に前記ピラミッド配列の２つの面の二等分面内に配置される。
【００２１】
ここで、本発明の理解のために、本発明の特定の実施形態について添付図面を参照しながら記述する。
【図面の簡単な説明】
【００２２】
【図１】本発明のＬＵＷＰＬ照明器具の側面図を示し、この図は図２の矢印Ｉの方向の図である。
【図２】図１のＩＩ‐ＩＩ線での中央断面の側面図を示す。
【図３】図１の照明器具の平面図を示す。
【図４】図１の照明器具の底面図を示す。
【図５】前記照明器具の透視図を示す。
【図６】前記反射器と前記照明器具の下部の、断面に対応する透視図を示し、この断面は図５のＶＩ‐ＶＩ線での断面である。
【図７】前記反射器のみの関連図を示し、全部が表されている。
【図８】前記反射器のわずかに回転させた側面図を示し、仮想の頂点の描写を含む。
【図９】図１の照明器具から投影される光線の光密度の分布を表す光輝の点図を示す。
【発明を実施するための形態】
【００２３】
各図面を参照すると、吊り小環４を有するフィン放熱器３の下に熱伝導するように取り付けられるマグネトロン２を有するＬＥＲ  ＬＵＷＰＬ照明器具が示されている。前記マグネトロンは半透明の加工品６内に伸びるアンテナを有するマイクロ波遷移器５に取り付けられ、当該半透明の加工品はＬＥＲ半透明のルツボであり、ファラデー箱７に囲われる。前記照明器具が使用のためにつるされる時、前記配列は、前記ルツボが前記放熱器の下方に突き出ることとなる。
【００２４】
無孔の覆い８が前記放熱器から下方へ広がる。押縁１０によって前記覆いに保持される透明な仕切９によって前記覆いは塞がれる。前記仕切はほこりおよび／または湿気の侵入に対して前記照明器具を塞ぐ。前記押縁は前記半透明のルツボへ後方に伸びる反射器１１を支持し、前記ルツボから前記照明器具の外へ前記仕切を通る光の反射のために、前記反射器の各反射面は前記ルツボと前記仕切の両方に斜めに面する。
【００２５】
前記反射器は磨き上げられた金属薄板製である。前記押縁１０は一般に正方形で、前記反射器は４つの三角形の面１２を、ピラミッド配列で備え、正方形のベースが前記押縁１０の上の前記仕切９の上に支持される枠１４によって具体化される。前記各面は仮想の頂点１５に、前記半透明のルツボの中心軸１６上で収束する。この軸は、前記頂点から前記ベースの中心への、前記ピラミッドの通常軸１７に一致する。
【００２６】
前記円形放熱器３と、通常は正方形の前記透明な仕切９および押縁１０と、の間で、前記覆い８の形状は外側にそして下向きにテーパーがかけられ、円形から正方形へと融合する。
【００２７】
前記各面１２は前記ベースに対して４５度をなす。我々の現在提案中の照明器具においては、前記ベースは一辺５００ｍｍの正方形で、前記頂点は前記ベースの上方２５０ｍｍにある。
【００２８】
前記頂点は前記ルツボとその裏当て片１８が前記反射器の開口部１９を通り抜けて突出するその内部の仮想点であり、前記開口部がないとすれれば、当該仮想点上に前記頂点が存在する。前記半透明のルツボの基部は前記頂点の５７．５ｍｍ下である。前記ルツボは深さ２０ｍｍで、そのボイド空間２０はトップキャップ２１からボトムキャップ２２まで広がる。前記頂点から４７．５ｍｍ、すなわち、前記頂点から前記ベースへの４７．５／２５０×１００＝１９％、すなわち約２０％に、前記ボイド空間が中心に置かれる。
【００２９】
この配列は図９に示される光輝を生じる。これは、正方形形状の外側領域３２と共に、明るい中央パッチ３１を有しているとみなすことができる。右上側の隅では、そこ以外の隅と比較して、わずかに暗い３３に気付く。これは前記アンテナ２３の位置によって引き起こされる。これは前記反射器の対応する角２４に配置される。このことは、前記ボイド空間の中心と前記アンテナの中心の両方を含む平面２５が前記反射器の対角面と一致することを意味する。
【００３０】
このことは、前記アンテナが認知できるほどの影を落とす我々の第１の照明器具に対する改善を示す。
【符号の説明】
【００３１】
１：半透明導波管プラズマ光源照明器具
６：加工品
９：仕切（光放射口）
１１：反射器
１２：面（反射面）
１７：ピラミッドの通常軸（ピラミッドの中心軸）
２０：ボイド空間
【図１】
2015513204.tif 000003
【図２】
2015513204.tif 000004
【図３】
2015513204.tif 000005
【図４】
2015513204.tif 000006
【図５】
2015513204.tif 000007
【図６】
2015513204.tif 000008
【図７】
2015513204.tif 000009
【図８】
2015513204.tif 000010
【図９】
2015513204.tif 000011
【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
半透明導波管プラズマ光源照明器具であって、
・光放射口と、
・半透明導波管プラズマ光源であって、
・マグネトロンを備える半透明導波管プラズマ光源と、
・前記半透明導波管プラズマ光源用のカバーと、
・反射器と、を備え、
・前記反射器は前記カバー内にあり、
半透明導波管プラズマ光源の加工品と照明器具からの前記光放射口の両方に斜めに面する各反射面からなり、
前記各反射面はピラミッド式に配置され、前記加工品の密閉されたボイド空間は、前記ピラミッドの中心軸に少なくとも実質的に並べられるか、或いは遮断し、
・前記カバーは放熱器を延長し、
・前記照明器具は
・前記マグネトロンが下に熱伝導するように取り付けられるフィン放熱器と、
・前記光放射口の位置にある透明な仕切と、を備え、前記各反射面が当該透明な仕切上の前記カバー内に支持される
ことを特徴とする半透明導波管プラズマ光源照明器具。
【請求項２】
前記密閉されたボイド空間は、前記ピラミッドの頂点から底面への距離の１０％から４０％の間に位置することを特徴とする、請求項１に記載の半透明導波管プラズマ光源照明器具。
【請求項３】
前記密閉されたボイド空間は、前記ピラミッドの前記頂点から前記底面への距離の１５％から３０％の間に位置することを特徴とする、請求項２に記載の半透明導波管プラズマ光源照明器具。
【請求項４】
前記密閉されたボイド空間は、前記ピラミッドの前記頂点から前記底面への距離の２０％に位置することを特徴とする、請求項３に記載の半透明導波管プラズマ光源照明器具。
【請求項５】
前記各反射面が平面であることを特徴とする、請求項１〜請求項４のいずれかに記載の半透明導波管プラズマ光源照明器具。
【請求項６】
前記各反射面が湾曲していることを特徴とする、請求項１〜請求項４のいずれかに記載の半透明導波管プラズマ光源照明器具。
【請求項７】
前記各反射面が前記軸に対してより大きな角度で外に広がり、前記頂点からさらに離れていくことを特徴とする、請求項６に記載の半透明導波管プラズマ光源照明器具。
【請求項８】
前記各反射面が前記中心軸に対して４０度と５０度の間で配置されることを特徴とする、請求項４に記載の半透明導波管プラズマ光源照明器具。
【請求項９】
前記各反射面が前記中心軸に対して４５度で配置されることを特徴とする、請求項８に記載の半透明導波管プラズマ光源照明器具。
【請求項１０】
前記ピラミッドが正方形の底面を有することを特徴とする、請求項１〜請求項９のいずれかに記載の半透明導波管プラズマ光源照明器具。
【請求項１１】
前記ピラミッドが長方形の底面を有することを特徴とする、請求項１〜請求項９のいずれかに記載の半透明導波管プラズマ光源照明器具。
【請求項１２】
前記ピラミッドが３つか或いは５つ以上の反射面を有し、前記ピラミッドの底面が対応する数の辺を有することを特徴とする、請求項１〜請求項９のいずれかに記載の半透明導波管プラズマ光源照明器具。
【請求項１３】
前記半透明導波管プラズマ光源が、前記ピラミッド配列の２つの面の二等分面内に配置されるアンテナを有するＬＥＲ半透明導波管プラズマ光源であることを特徴とする、請求項１〜請求項１２のいずれかに記載の半透明導波管プラズマ光源照明器具。
【請求項１４】
前記半透明導波管プラズマ光源が、ＬＥＲ半透明導波管プラズマ光源であることを特徴とする、請求項１〜請求項１３のいずれかに記載の半透明導波管プラズマ光源照明器具。
【国際調査報告】
2015513204.tif 000012
2015513204.tif 000013
2015513204.tif 000014